(57)【要約】【課題】前扉の開閉操作性の向上を図った自動販売機の施錠装置を提供する。【解決手段】前扉の回動端側縁部に沿って上下動自在に設けられたロックスライダと、前扉の回動端側の側部に該前扉の前後方向に進退自在に設けられたドアハンドルと、このドアハンドルを後方側に付勢変位するばね部材と、前記ドアハンドルと前記ロックスライダとを連結して前記ドアハンドルの進退に伴って前記ロックスライダを上下動させるリンク機構と、前記自動販売機本体の前面側部の前記ロックスライダに対峙する部位に設けられて前記ロックスライダに係合し、前記ドアハンドルの操作時には前記ロックスライダとの係合が解除されるドアストッパ部材とを備える。【選択図】図３
2010237734.tif 000002
【特許請求の範囲】
【請求項１】
自動販売機本体の前面側部にヒンジを介して回動自在に支持されて該自動販売機本体の前面を開放する前扉を施錠すると共に、前記前扉の開閉操作に用いられる自動販売機の施錠装置であって、
前記前扉の回動端側の縁部に沿って上下動自在に設けられたロックスライダと、
前記前扉の回動端側の側部に該前扉の前後方向に進退自在に設けられて手前側に引き出し操作されるドアハンドルと、
このドアハンドルを後方側に付勢変位し、該ドアハンドルの非操作時に前記ドアハンドルを後方側に位置付けるばね部材と、
前記ドアハンドルと前記ロックスライダとを連結して設けられて前記ドアハンドルの進退に伴って前記ロックスライダを上下動させるリンク機構と、
前記自動販売機本体の前面側部の前記ロックスライダに対峙する部位に設けられて前記ドアハンドルの非操作時に定常位置に位置付けられたロックスライダに係合し、前記ロックスライダが定常位置から変位したときには該ロックスライダとの係合が解除されるドアストッパ部材と
を具備したことを特徴とする自動販売機の施錠装置。
【請求項２】
前記ロックスライダは、重ね合わせて設けられて互いに逆向きに上下動する一対の長尺のスライダ部材からなり、
前記各スライダ部材は、前記ドアストッパ部材に係合して該ドアストッパ部材の離脱を阻止する係合部を備えたものである請求項１に記載の自動販売機の施錠装置。
【発明の詳細な説明】
【技術分野】
【０００１】
本発明は、前扉の開閉操作性の向上を図った自動販売機の施錠装置に関する。
【背景技術】
【０００２】
自動販売機本体の前面に開閉自在に設けられた前扉を施錠する施錠装置は、一般的には前扉に回動可能に設けられて該前扉を自動販売機本体にロックするドアハンドルと、このドアハンドルの操作を禁止する施錠機構（ロック機構）とからなる。また前記ドアハンドルの操作以外による前記前扉の不本意な開閉を防ぐべく、例えば前扉を自動販売機本体の閉塞位置にロックするロックスライダ（ロック機構）を該前扉の閉塞に伴って自動的にロック位置に変位させたり、更には機械式のロック機構に加えて電気式のロック機構を組み込む等の対策法も提唱されている（例えば特許文献１,２を参照）。
【先行技術文献】
【特許文献】
【０００３】
【特許文献１】特開２００２-３４２８２７号公報
【特許文献２】特開平８−２１２４４３号公報
【発明の概要】
【発明が解決しようとする課題】
【０００４】
ところで自動販売機の前扉は、一般的には自動販売機本体の前面を覆う大きさの大型のものからなる。また自動販売機の前扉には、通常、複数の商品選択釦を備えた商品展示部や、貨幣投入口・釣り銭口・金銭表示器等を備えた金銭処理装置等が組み込まれるので、その重量もバカにならない。これ故、前扉を施錠すると共にその開閉操作に用いられるドアハンドルとしては、比較的大型のものが用いられることが多い。
【０００５】
しかしながら前述した商品展示部や金銭処理装置等は、商品購入者（客）の利便性や操作性を考慮して、専ら、前扉における中央部の広い領域に亘って配置（レイアウト）されるので、前記ドアハンドルは商品展示部等を避けた位置、具体的には前扉の下部位置に設けられることが多い。これ故、自動販売機をメンテナンスしたり、或いは販売商品を補充するべく前扉を開ける場合には、腰を屈めてドアハンドルを回動操作した後、ドアハンドルを手前側に引き付ける作業が必要であり、その操作性が悪いと言う問題があった。
【０００６】
本発明はこのような事情を考慮してなされたもので、その目的は、前扉の開閉操作性の向上を図った簡易な構成の自動販売機の施錠装置を提供することにある。
【課題を解決するための手段】
【０００７】
本発明は、自動販売機におけるドアハンドルを手前側に引き付けることで、前扉の解錠を行い得るように構成すれば、その解錠と前扉の開放操作とを一括して簡易に行い得ることに着目してなされている。
そこで上述した目的を達成するべく本発明は、自動販売機本体の前面側部にヒンジを介して回動自在に支持されて該自動販売機本体の前面を開放する前扉を施錠すると共に、前記前扉の開閉操作に用いられる自動販売機の施錠装置を、特に
<ａ>  前記前扉の回動端側縁部に沿って上下動自在に設けられたロックスライダと、
<ｂ>  前記前扉の回動端側の側部に該前扉の前後方向に進退自在に設けられて手前側に引き出し操作されるドアハンドルと、
<ｃ>  このドアハンドルを後方側に付勢変位し、該ドアハンドルの非操作時には前記ドアハンドルを後方側に位置付けるばね部材と、
<ｄ>  前記ドアハンドルと前記ロックスライダとを連結して設けられて前記ドアハンドルの進退に伴って前記ロックスライダを上下動させるリンク機構と、
<ｅ>  前記自動販売機本体の前面側部の前記ロックスライダに対峙する部位に設けられて前記ドアハンドルの非操作時に定常位置に位置付けられたロックスライダに係合し、前記ロックスライダが定常位置から変位したときには該ロックスライダとの係合が解除されるドアストッパ部材と
を備えた構成の装置として実現したことを特徴としている。
【０００８】
好ましくは前記ロックスライダを、重ね合わせて設けられて互いに逆向きに上下動する一対の長尺のスライダ部材として実現し、各スライダ部材に前記ドアストッパ部材に係合して該ドアストッパ部材の離脱を阻止する係合部を設けることが望ましい。
【発明の効果】
【０００９】
上記構成の施錠装置によれば、ドアハンドルが前扉の回動端側の側部に該前扉の前後方向に進退自在に設けられるので、該ドアハンドルを手前側に引き出し操作するだけで前扉の施錠を解除し（解錠し）、そのまま前扉を開いて自動販売機本体の前面を開放することができる。従ってその操作性を大幅に向上させることができる。またドアハンドルを前扉の回動端側の側部に設けるので、該前扉の前面における商品展示部や金銭処理装置等のレイアウトに依存することなく、例えば自動販売機の略中央の高さ位置等、その操作性を妨げることのない高さに設けることができる。
【図面の簡単な説明】
【００１０】
【図１】本発明に係る施錠装置を組み込んだ自動販売機の正面図。
【図２】図１に示す自動販売機の前扉を開けた状態を示す斜視図。
【図３】本発明の一実施形態に係る施錠装置の概略構成とその動作状態を説明する為の図。
【図４】図３に示す施錠装置におけるドアハンドル機構の分解斜視図。
【図５】図４に示すドアハンドル機構の動作を説明する為の図。
【図６】図３に示す施錠装置に組み込まれるスライダロック機構の概略構成とその動作を説明する為の図。
【発明を実施するための形態】
【００１１】
以下、図面を参照して本発明の一実施形態に係る自動販売機の是状装置について説明する。尚、ここではたばこの自動販売機に適用した例について示すが、飲料缶等の自動販売機にも同様に適用することができることは言うまでもない。
図１は本発明を適用したたばこの自動販売機の正面図であり、図２は該自動販売機の前扉を開けた状態を示す斜視図である。この自動販売機は、図２に示すようにその内部に販売商品を収納する複数の商品コラム１を形成した箱形の販売機本体２と、この販売機本体２の前面側部にヒンジを介して回動自在に支持されて該販売機本体２の前面を開放する前扉３とを備えて構成される。この前扉３の前面には、例えば図１に示すように複数の商品選択釦を備えた商品展示部４や、貨幣投入口・釣り銭口・金銭表示器等を備えた金銭処理装置５、更には図示しないＩＣカードとの間でデータ通信するインターフェース６等が設けられる。また前記前扉３の回動端側の側部の、いわゆる腰高位置には該前扉３の解錠と該前扉３の開放操作に供せられるドアハンドル７が設けられている。このドアハンドル７は、自動販売機に組み込まれた本発明に係る施錠装置の一部を構成するもので、後述するようにその把持部を前記前扉３の前後（表裏）方向である該前扉３の開閉方向に進退自在に設けられている。
【００１２】
さて自動販売機に組み込まれる施錠装置は、図３にその概略構成を示すように前記前扉３の回動端側の縁部に沿って上下動自在に設けられたロックスライダ１１と、前記自動販売機本体２の前面側部の前記ロックスライダ１１に対峙する部位に設けられたドアストッパ部材１２とを備える。このドアストッパ部材１２は、後述するように前記ドアハンドル７の非操作時に定常位置に位置付けられた前記ロックスライダ１１に係合し、また前記ドアハンドル７の操作に伴って前記ロックスライダ１１が定常位置から変位したときには該ロックスライダ１１との係合が解除されるものである。
【００１３】
ちなみにロックスライダ１１は、重ね合わせて設けられて互いに逆向きに上下動する一対の長尺のスライダ部材１１ａ,１１ｂからなる。具体的には前記一対のスライダ部材１１ａ,１１ｂは、断面「コ」の字状の、いわゆるアングル部材からなり、一方のスライダ部材１１ａの内側に他方のスライダ部材１１ａを嵌め込んだ状態で重ね合わせて設けられる。尚、これらの各スライダ部材１１ａ,１１ｂの長さは、前述した前扉３の縦方向の長さよりも若干短く設定されており、前記前扉３の縦方向の長さの範囲内において該前扉３の側部に沿ってそれぞれ上下動自在に設けられている。
【００１４】
また前記ストッパ部材１２は、前記自動販売機本体２の前面から所定長だけ突出させて設けられた、いわゆる矢印形の鋼板体からなる。このストッパ部材１２は、図３(ａ)に示すように、その突出部における上下方向の側部に設けた鈎型の凹部１２ａを前記各スライダ部材１１ａ,１１ｂにそれぞれ設けられた穴部（係合部）１３ａ,１３ｂの縁に係合させることにより該ストッパ部材１２からの前記スライダ部材１１ａ,１１ｂの離脱を阻止し、ひいてはスライダ部材１１ａ,１１ｂが組み込まれた前扉３を前記自動販売機本体２の前面に接触させた状態に保持する役割を担う。このようなストッパ部材１２は、この実施形態においては自動販売機本体２の上部と下部とにそれぞれ設けられるが、３個以上のストッパ部材１２を縦方向に並べた設けることも可能であり、また小型の自動販売機においてストッパ部材１２を１つだけ設けても良い。
【００１５】
尚、スライダ部材１１ａ,１１ｂにそれぞれ設けられる前記穴部（係合部）１３ａ,１３ｂは、前記ストッパ部材１２の上下方向における最大幅よりも広い幅の穴形状を有するもので、前記各スライダ部材１１ａ,１１ｂが上下にそれぞれ移動したときに互いに重なり合って、図３(ｂ)の拡大部分図に示すように前記ストッパ部材１２の侵入を可能とする開口穴空間を形成するように設けられる。そして後述するように前記スライダ部材１１ａ,１１ｂがそれぞれ上下に変位していない状態においては、前記穴部（係合部）１３は図３(ａ)の拡大部分図に示すように互いに部分的に重なり合い、その開口穴空間を狭めることで前記ストッパ部材１２の凹部１２ａに係合するものとなっている。
【００１６】
ところで上述したスライダ部材１１ａ,１１ｂは、前述したドアハンドル７の操作に伴って上下動されるもので、このドアハンドル７は図４および図５に示すようなドアハンドル機構として実現される。このドアハンドル機構は、図４にその分解斜視図を示すようにハンドルベース（基体）２１の一側部（外側部）に設けた凹部２２に該ドアハンドル７の主体である把持部２３を進退自在に装着したものであり、該把持部２３は前記ハンドルベース２１との間に張架される引っ張りコイルばね２４により該ハンドルベース２１の後方側に偏奇されている。また前記把持部２３の内側には前記スライダ部材１１ａ,１１ｂを上下動させる為の作動片２５が装着されて該把持部２３と一体に進退するように設けられている。
【００１７】
一方、前記ハンドルベース（基体）２１の他側部（内側部）には、Ｌ字型および逆Ｌ字型の一対のリンク部材２６ａ,２６ｂがその折れ曲がり部を支点として回動自在に設けられている。これらの一対のリンク部材２６ａ,２６ｂは、その一端側を互いに重ね合わせて前記作動片２５に連結したものであり、またその他端側を前述した一対のスライダ部材１１ａ,１１ｂに連結したものである。このリンク部材２６ａ,２６ｂによって前記ドアハンドル７の操作に伴う前記把持部２３の前後方向の進退動作が、前記スライダ部材１１ａ,１１ｂの上下方向への進退動作に変換され、スライダ部材１１ａ,１１ｂが前述したように上下動されることになる。尚、図中２７は、リンク部材２６ａ,２６ｂ等を覆って設けられる前記ハンドルベース２１のカバーである。
【００１８】
即ち、このドアハンドル機構は、常時は図５(ａ)に示すように前記把持部２３を前記ハンドルベース２１の側部に収納した状態に保持し、これに伴って前記一対のリンク部材２６ａ,２６ｂはその他端部間を拡げた状態に位置付けられている。そして図５(ａ)に示すようにドアハンドル７を操作し、つまり前記把持部２３を前記ハンドルベース２１の前面側に引き出すと、これに伴って前記一対のリンク部材２６ａ,２６ｂが互いに逆向きに回動し、その他端部間が狭められる。このようなリンク部材２６ａ,２６ｂの回動に伴い、該リンク部材２６ａ,２６ｂにそれぞれ連結された一対のスライダ部材１１ａ,１１ｂが前述したように上下動されることになる。
【００１９】
そして把持部２３から手を離してその引き出し操作を終了すると、これに伴って前記把持部２３は前述したコイルばね２４の付勢力を受けて図５(ａ)に示すように元の位置に復帰する。そして把持部２３の復帰に伴って前記一対のリンク部材２６ａ,２６ｂがそれぞれ逆向きに回動し、その他端部間が拡げられるので前述した一対のスライダ部材１１ａ,１１ｂもまた、元の位置に復帰することになる。
【００２０】
ところで前扉３を閉じた状態で把持部２３から手を離した場合のみならず、前扉３を開けた状態で把持部２３から手を離した場合にも前記スライダ部材１１ａ,１１ｂは元の位置に復帰する。このような状態で前扉３を閉じると、前述した如く前記一対のスライダ部材１１ａ,１１ｂにおける穴部（係合部）１３ａ,１３ｂが形成する開口穴空間が狭められているので、販売機本体２の前面側に突出したドアストッパ部材１２が上記開口穴空間の縁部に衝突することになる。しかしこの場合には、前記ドアストッパ部材１２のテーパー状の先端部にて前記スライダ部材１１ａ,１１ｂが強制的に上下動され、ドアストッパ部材１２が通過し得る開口穴空間が形成された時点で該ドアストッパ部材１２が前記穴部（係合部）１３ａ,１３ｂに入り込む。そして前記一対のスライダ部材１１ａ,１１ｂは、前述したコイルばね２４の付勢力を受けたドアハンドル機構により、元の状態に復帰することになる。
【００２１】
尚、この施錠装置においては、前述した一対のスライダ部材１１ａ,１１ｂにそれぞれ係合して該スライダ部材１１ａ,１１ｂの上下動自体を阻止するスライダストッパ機構が設けられる。このスライダストッパ機構は、例えば図６(ａ)(ｂ)に示すように、スライダ１１ａ,１１ｂに設けられた穴３１内にその先端部を侵入させて該スライダ１１ａ,１１ｂの上下動を禁止するストッピングレバー３２と、このストッピングレバー３２を回動させてその先端部を前記穴３１から離脱させるプランジャ３３とからなる。
【００２２】
このプランジャ３３は電気的に駆動されるものであって、非通電時にはストッピングレバー３２の自重を利用して該ストッピングレバー３２を図６(ａ)に示すように前記スライダ部材１１ａ,１１ｂと係合する位置に保持し、通電時にはストッピングレバー３２をその自重に逆らって回動させて図６(ｂ)に示すように前記スライダ部材１１ａ,１１ｂとの係合を解除する役割を担う。尚、プランジャ３３の駆動は、例えば前扉３の前面に設けたインターフェース部６を介して、該自動販売機の管理者である旨の情報が入力された場合にだけ行われる。
【００２３】
かくしてこのように構成された施錠装置によれば、プランジャ３３を駆動してスライダストッパ機構を解除した状態において前記ドアレバー７（把持部２３）を操作すれば、これによって前扉３に対する施錠が解除され、前扉３を回動させて販売機本体２の前面を開放することができる。しかも把持部２３を手前側に引き出す操作により簡易に解錠し、そのまま把持部２３を手前側に引き付けるだけで前扉３を開けることが可能となる。
【００２４】
この点、従来の一般的な自動販売機においては、前扉の前面にドアハンドルが設けられているので、前扉を開ける際には先ずドアハンドルを前扉の前面に沿って回動させて解錠し、その後、該ドアハンドルを手前側に引き付けたり、或いは前扉の側部に手を掛けて前扉を開く等の動作が必要である。従って本発明に係る施錠装置によれば、このような従来の自動販売機に比較して、前扉を開ける操作が非常に簡単であり、その操作負担が少ないと言える。
【００２５】
また本発明に係る施錠装置によれば、ドアハンドル７である把持部２３が前扉３の開閉方向である前後（表裏）方向に移動可能に設けられるので、前扉３の側部に取り付けるに好適である。従って前扉３の前面にドアハンドルを設ける場合のように、その設置場所に大きな制約を受けることがなく、その操作性を考慮してドアハンドルの設置位置を決定することができる。また逆にドアハンドルの存在が、商品展示部等を主体として構築される前扉３の美観を損ねることがない等の効果も奏せられる。
【００２６】
尚、本発明は上述した実施形態に限定されるものではない。例えば把持部２３の大きさやその進退ストローク長、更にはスライダ部材１１ａ,１１ｂの長さ等は、自動販売機の寸法的仕様に応じて定めれば良い。またここでは１対のスライダ部材１１ａ,１１ｂを互いに逆向きに上下動するように構成したが、１本のスライダ部材だけを用いて施錠装置を構築することも勿論可能である。その他、本発明はその要旨を逸脱しない範囲で種々変形して実施することができる。
【符号の説明】
【００２７】
２  販売機本体
３  前扉
７  ドアハンドル
１１  ロックスライダ
１１ａ,１１ｂ  スライダ部材
１２  ドアストッパ部材
１３ａ,１３ｂ  穴部（係合部）
２１  ハンドルベース（基体）
２３  把持部
２４  引っ張りコイルばね
２５  作動片
２６ａ,２６ｂ  リンク部材
３２  ストッピングレバー
３３  プランジャ
【図１】
2010237734.tif 000003
【図２】
2010237734.tif 000004
【図３】
2010237734.tif 000005
【図４】
2010237734.tif 000006
【図５】
2010237734.tif 000007
【図６】
2010237734.tif 000008